(57)【要約】【課題】誤配線を確実に防止できる端子板を提供する。【解決手段】本発明に係る端子板は、複数の端子孔を一組として備えるチャンネル領域が一方向に隣合うよう複数並べられてなるチャンネル列を、一方向と直交する他方向に隣合うよう複数段備えることで、前記チャンネル領域がマトリクス状に配置された端子板であって、一方向および他方向に隣合う前記チャンネル領域どうしの色または形状が異なっている。【選択図】図１
2018195444.tif 000002
【特許請求の範囲】
【請求項１】
複数の端子孔を一組として備えるチャンネル領域が一方向に隣合うよう複数並べられてなるチャンネル列を、一方向と直交する他方向に隣合うよう複数段備えることで、前記チャンネル領域がマトリクス状に配置された端子板であって、
一方向および他方向に隣合う前記チャンネル領域どうしの色または形状が異なっていることを特徴とする端子板。
【請求項２】
他方向に隣合う前記チャンネル列のうち奇数段目どうしの該チャンネル列における前記チャンネル領域の、色または形状が他方向において同一である請求項１に記載に端子板。
【請求項３】
他方向に隣合う前記チャンネル列のうち偶数段目どうしの該チャンネル列における前記チャンネル領域の、色または形状が他方向において同一である請求項１に記載に端子板。
【請求項４】
前記チャンネル領域における前記端子孔は、二つを一組とされて一組または複数組設けられている請求項１ないし請求項３の何れかに記載の端子板。
【請求項５】
前記各チャンネル列では、特定の色または特定の形状とされた前記チャンネル領域が一方向に交互に配置されている請求項１ないし請求項４の何れか１項に記載の端子板。
【発明の詳細な説明】
【技術分野】
【０００１】
本発明は、通信線路を中継するための中間配線盤に配置された端子板に関する。
【背景技術】
【０００２】
従来より、通信機器の相互間、または通信機器と端末装置などの間を接続する通信線路には、図３に示すように、中間配線盤１００が配置される。該中間配線盤１００には、多芯ケーブルＣを接続するための複数の端子板１０１が配置される（特許文献１参照）。
【０００３】
端子板１０１は、図４に示すように、絶縁性を有する板体１０２と、該板体１０２の表面に対し直交方向にかつマトリクス状に配置された複数のラッピング端子１０３とを備える。複数のラッピング端子１０３は、いずれも同一形状（角柱状）に形成され、板体１０２に形成された孔に取付けられている。ラッピング端子１０３に多芯ケーブルＣを接続する際、いずれのラッピング端子１０３も同一形状であるため、作業者には、マトリクス状に配置された複数のラッピング端子１０３の中から、接続対象となるラッピング端子１０３を特定するのが難しく、非対象のラッピング端子１０３に誤って接続してしまい、誤配線することがある。
【０００４】
このような誤配線を防止することを目的とした信号中継器が、特許文献２に提供されている。特許文献２に示す信号中継器は、着色により区分けされ且つ階段状に設けられた上、中、下の領域を有する端子板を備える。各領域の上部には、信号線を接続するための第一端子が配置され、各領域の下部には、接地線を接続する第二端子が配置されている。
【先行技術文献】
【特許文献】
【０００５】
【特許文献１】特開２０１２−１６４４５８号公報
【特許文献２】特開２０１０−１６０９１３号公報
【発明の概要】
【発明が解決しようとする課題】
【０００６】
ところで、前記特許文献２の信号中継器によれば、各領域は、視覚と指の触感とにより識別できる。したがって、前記特許文献２の信号中継器は、上下方向に並ぶ第一端子と第二端子との識別は可能であるが、一つの領域における横方向に隣合う第一端子同士の識別、横方向に隣合う第二端子同士の識別ができず、誤配線してしまうという問題がある。
【０００７】
そこで、本発明は、誤配線を確実に防止できる端子板を提供することを目的とする。
【課題を解決するための手段】
【０００８】
本発明に係る端子板は、複数の端子孔を一組として備えるチャンネル領域が一方向に隣合うよう複数並べられてなるチャンネル列を、一方向と直交する他方向に隣合うよう複数段備えることで、前記チャンネル領域がマトリクス状に配置された端子板であって、一方向および他方向に隣合う前記チャンネル領域どうしの色または形状が異なっていることを特徴とする。
【０００９】
上記構成を備えた本発明の端子板によれば、一方向および他方向に隣合うチャンネル領域どうしの色または形状が異ならせていることで、複数の端子孔を一組として備えるチャンネル領域が一方向に隣合うよう複数並べられてなるチャンネル列を、一方向と直交する他方向に隣合うよう複数段備えることで、チャンネル領域がマトリクス状に配置された端子板であっても、各チャンネル列において一方向に隣合うチャンネル領域における端子孔どうしを識別でき、しかも他方向に隣合うチャンネル列どうしにおけるチャンネル領域の端子孔どうしの識別ができる。
【００１０】
他方向に隣合う前記チャンネル列のうち奇数段目どうしの該チャンネル列における前記チャンネル領域の、色または形状が他方向において同一であるという構成を採用することができる。
【００１１】
上記構成を備えた端子板によれば、奇数段目のチャンネル列においてチャンネル領域ごとにこれを認識し易くなるとともに、これにより偶数段目のチャンネル列におけるチャンネル領域を認識し易くなる。
【００１２】
他方向に隣合う前記チャンネル列のうち偶数段目どうしの該チャンネル列における前記チャンネル領域の、色または形状が他方向において同一であるという構成を採用することができる。
【００１３】
上記構成を備えた端子板によれば、偶数段目のチャンネル列におけるチャンネル領域ごとにこれを認識し易くなるとともに、これにより奇数段目のチャンネル列におけるチャンネル領域を認識し易くなる。
【００１４】
前記チャンネル領域における前記端子孔は、二つを一組とされて一組または複数組設けられているという構成を採用することができる。
【００１５】
上記構成を備えた端子板では、一組である二つの端子孔に、異なる使用をさせる配線が接続される。
【００１６】
前記各チャンネル列では、特定の色または特定の形状とされた前記チャンネル領域が一方向に交互に配置されているという構成を採用することができる。
【００１７】
上記構成を備えた端子板のように、特定の色または形状の異なるチャンネル領域が一方向に交互に配置されていることで、一方向に並んだ複数のチャンネル領域を、チャンネル領域ごとに認識し易い。
【発明の効果】
【００１８】
本発明によれば、誤配線を確実に防止できる、といった効果を奏する。
【図面の簡単な説明】
【００１９】
【図１】図１は、本発明の一実施形態に係る端子板の斜視図。
【図２】図２は、チャンネル領域の変形例を示した斜視図。
【図３】図３は、中間配線盤を示した斜視図。
【図４】図４は、従来の端子板を示した斜視図。
【発明を実施するための形態】
【００２０】
本発明の一実施形態に係る端子板について、図面を参照しつつ説明する。はじめに、本実施形態の端子板が複数配置される中間配線盤について説明する。該中間配線盤１００は、通信機器の相互間、または通信機器と端末装置などの間を接続する通信線路に配置される。端子板には、多芯ケーブルＣが接続される（図３参照）。
【００２１】
図１に示すように、端子板１は、板体１０と、該板体１０に形成された複数の端子孔１１とを備える。
【００２２】
板体１０は、平坦な一枚の板材で矩形状に形成されている。この板材は、全体を黒色に着色され、絶縁性を有する。板体１０は、一方の板面を上下方向に沿わせて中間配線盤１００に取付けられている。板体１０の一方の板面に対し、一方向（左右方向）を行方向とし、該一方向に対し直交する方向（上下方向）を段方向とする。
【００２３】
板体１０には、上下方向にチャンネル列２１〜２６が配置されている。チャンネル列２１〜２６には、複数の端子孔１１を一組として備えるチャンネル領域Ｒ（仮想領域）が一方向に隣合うよう複数並べられている。チャンネル列２１〜２６は、一方向と直交する他方向に隣合うよう複数段備えられている。
【００２４】
複数の端子孔１１には、ラッピング端子１２が取付けられている。ラッピング端子１２は、角柱状に形成され、端子孔１１に対し直交方向に取付けられ、マトリクス状に配置されている。一つのチャンネル領域Ｒのラッピング端子１２，１２に接続される多芯ケーブルＣは、本実施形態では、例えば、信号線Ｃ１と、接地線Ｃ２とである。
【００２５】
本実施形態では、各チャンネル列２１〜２６において、板体１０の表面に、視認のために着色を施した着色部３を有するチャンネル領域Ｒが、一方向に隣合う一つのチャンネル領域Ｒをおいて配置されている。すなわち、各チャンネル列２１〜２６において、例えば、着色部３を設けたチャンネル領域Ｒ（Ｒ１ＡＢ）と、着色を施さないチャンネル領域Ｒ（Ｒ１ＣＤ）とが、一方向に交互に配置されている。
【００２６】
また、着色部３は、他方向に隣合うチャンネル列２１，２２どうしにおいて、他方向に隣合う一つのチャンネル領域Ｒをおいて配置されている。すなわち、例えば、着色部３を設けたチャンネル領域Ｒ（Ｒ４ＣＤ）と、着色を施さないチャンネル領域Ｒ（Ｒ５ＣＤ）とが、他方向に交互に配置されている。
【００２７】
着色部３として、例えば白色で「『」形状を模した図柄が選択されており、着色部３は、奇数段目（１段目、３段目、５段目）にある各チャンネル列２１，２３，２５のチャンネル領域Ｒにおける板面部分おいて、端子孔１１の近傍に配置されている。具体的には、図１に示すように、着色部３は、奇数段目の各チャンネル列２１，２３，２５では、Ａ行およびＢ行を含んだチャンネル領域Ｒにおける端子孔１１の横上位置に施されている。また、着色部３は、Ｃ行およびＤ行を含んだチャンネル領域Ｒをおいて、Ｅ行およびＦ行を含んだチャンネル領域Ｒにおける端子孔１１の横上位置に施されている。
【００２８】
着色部３は、偶数段目（２段目、４段目、６段目）にある各チャンネル列２２，２４，２６のチャンネル領域Ｒにおける板面部分おいて、端子孔１１の近傍に配置されている。具体的には、図１に示すように、着色部３は、偶数段目の各チャンネル列２２，２４，２６では、Ｃ行およびＤ行を含んだチャンネル領域Ｒにおける端子孔１１の横上位置に施されている。また、着色部３は、Ｅ行およびＦ行を含んだチャンネル領域Ｒを置いて、Ｇ行およびＨ行を含んだチャンネル領域Ｒにおける端子孔１１の横上位置に施されている。
【００２９】
本実施形態における端子板１のラッピング端子１２には、作業者により、例えば信号線Ｃ１および接地線Ｃ２が対で接続される（信号線Ｃ１および接地線Ｃ２の二つを一組とされて複数組設けられている）。図１に示すように、端子板１は、１段目のＡ行からＨ行、ないし６段目のＡ行からＨ行に対応する２４箇所のチャンネル領域Ｒを備えており、各チャンネル領域Ｒに一対のラッピング端子１２，１２が取付けられている。そして、各チャンネル領域Ｒにおけるラッピング端子１２に、信号線Ｃ１および接地線Ｃ２が接続されることが想定される。
【００３０】
端子板１では、前述したように、その板面の一方向（横方向）に並べてＡ，Ｂ，Ｃ，Ｄ，Ｅ，Ｆ，Ｇ，Ｈのアルファベットの白色の文字が施され、他方向（縦方向）に並べて１，２，３，４，５，６の白色の番号数字が施されている。
【００３１】
そして、１段目、３段目、５段目である奇数段目のチャンネル列２１，２３，２５において、Ａ行およびＢ行、Ｅ行およびＦ行で特定される各チャンネル領域Ｒにおける一対のラッピング端子１２の近傍の板面部分に、着色部３が配置されている。また、２段目、４段目、６段目である偶数段目のチャンネル列２２，２４，２６において、Ｃ行およびＤ行、Ｇ行およびＨ行で特定される各チャンネル領域Ｒにおける一対のラッピング端子１２の近傍の板面部分に、着色部３が配置されている。つまり、各チャンネル列２２，２４，２６では、着色部３を有するチャンネル領域Ｒと着色部３を有しないチャンネル領域Ｒとが、一方向に交互に配置されている。
【００３２】
ここで、例えば、奇数段目の一例である、１段目のチャンネル列２１において、Ａ行およびＢ行で特定されるチャンネル領域Ｒ（Ｒ１ＡＢ）のラッピング端子１２（１２Ａ１，１２Ｂ１）に、信号線Ｃ１および接地線Ｃ２を接続する場合を説明する。このチャンネル領域Ｒ（Ｒ１ＡＢ）は、着色部３を有する。
【００３３】
このチャンネル領域Ｒ１ＡＢの一対のラッピング端子１２（１２Ａ１，１２Ｂ１）のうち、Ａ行に相当するラッピング端子１２（１２Ａ１）が信号線Ｃ１用に該当し、Ｂ行に相当するラッピング端子１２（１２Ｂ１）が接地線Ｃ２用に該当する。そして、着色部３は、各ラッピング端子１２（１２Ａ１，１２Ｂ１）の近傍に配置されている。
【００３４】
そこで作業者は、Ａ行、１段目のＡ，１の文字記号表示を視認したうえで、しかも着色部３を目処にラッピング端子１２（１２Ａ１）を視認し、これに信号線Ｃ１を接続する。同様に、Ｂ行、１段目のＢ，１の文字記号表示を視認したうえで、しかも着色部３を目処にラッピング端子１２（１２Ｂ１）を視認し、これに接地線Ｃ２を接続する。つまり、着色部３を目処にすることで、ラッピング端子１２（１２Ａ１，１２Ｂ１）の誤認を抑え、これに信号線Ｃ１および接地線Ｃ２を、確実に接続することができる。
【００３５】
１段目のチャンネル列２１において、Ｅ行およびＦ行で特定されるチャンネル領域Ｒ（Ｒ１ＥＦ）のラッピング端子１２（１２Ｅ１，１２Ｆ１）に、信号線Ｃ１および接地線Ｃ２を接続する場合を説明する。このチャンネル領域Ｒ（Ｒ１ＥＦ）は、着色部３を有する。
【００３６】
このチャンネル領域Ｒ（Ｒ１ＥＦ）の一対のラッピング端子１２（１２Ｅ１，１２Ｅ１）のうち、Ｅ行に相当するラッピング端子１２（１２Ｅ１）が信号線Ｃ１用に該当し、Ｆ行に相当するラッピング端子１２（１２Ｅ１）が接地線Ｃ２用に該当する。そして、着色部３は、各ラッピング端子１２（１２Ｅ１，１２Ｅ１）の近傍に配置されている。
【００３７】
そこで作業者は、Ｅ行、１段目のＥ，１の文字記号表示を視認したうえで、しかも着色部３を目処にラッピング端子１２（１２Ｅ１）を視認し、これに信号線Ｃ１を接続する。同様に、Ｆ行、１段目のＦ，１の文字記号表示を視認したうえで、しかも着色部３を目処にラッピング端子１２（１２Ｆ１）を視認し、これに接地線Ｃ２を接続する。つまり、着色部３を目処にすることで、ラッピング端子１２（１２Ｅ１，１２Ｆ１）の誤認を抑え、これに信号線Ｃ１および接地線Ｃ２を、確実に接続することができる。
【００３８】
１段目のチャンネル列２１において、Ｃ行およびＤ行で特定されるチャンネル領域Ｒ（Ｒ１ＣＤ）のラッピング端子１２（１２Ｃ１，１２Ｄ１）に、信号線Ｃ１および接地線Ｃ２を接続する場合を説明する。このチャンネル領域Ｒ（Ｒ１ＣＤ）は、着色部３を有しない。
【００３９】
このチャンネル領域Ｒ（Ｒ１ＣＤ）の一対のラッピング端子１２（１２Ｃ１，１２Ｄ１）のうち、Ｃ行に相当するラッピング端子１２（１２Ｃ１）が信号線Ｃ１用に該当し、Ｄ行に相当するラッピング端子１２（１２Ｄ１）が接地線Ｃ２用に該当する。
【００４０】
そこで作業者は、Ｃ行、１段目のＣ，１の文字記号表示を視認したうえで、しかも着色部３を目処にラッピング端子１２（１２Ｃ１）を視認し、これに信号線Ｃ１を接続する。同様に、Ｄ行、１段目のＤ，１の文字記号表示を視認したうえで、しかも着色部３を目処にラッピング端子１２（１２Ｄ１）を視認し、これに接地線Ｃ２を接続する。
【００４１】
ところで、このチャンネル領域Ｒ（Ｒ１ＣＤ）は、着色部３を有しない。したがって信号線Ｃ１および接地線Ｃ２をラッピング端子１２（１２Ｃ１，１２Ｄ１）に接続する際には、作業者は、Ｃ行１段目のＣ，１の文字記号表示、Ｄ行１段目のＤ，１の文字記号を視認して作業をする。
【００４２】
そしてこの視認に加え、そのチャンネル領域Ｒ（Ｒ１ＣＤ）に対する一方向両側のチャンネル領域Ｒ（Ｒ１ＡＢ），Ｒ（Ｒ１ＥＦ）には、着色部３が設けられている。このことから、そのチャンネル領域Ｒ（Ｒ１ＣＤ）は、着色部３を有しないチャンネル領域Ｒ（Ｒ１ＣＤ）として視認がし易い。つまり、この場合も着色部３を目処にすることが可能であり、ラッピング端子１２（１２Ｃ１，１２Ｄ１）の誤認を抑え、これに信号線Ｃ１および接地線Ｃ２を、確実に接続することができる。
【００４３】
偶数段目の一例である、４段目のチャンネル列２４において、Ｃ行およびＤ行で特定されるチャンネル領域Ｒ（Ｒ４ＣＤ）のラッピング端子１２（１２Ｃ４，１２Ｄ４）に、信号線Ｃ１および接地線Ｃ２を接続する場合を説明する。このチャンネル領域Ｒ（Ｒ４ＣＤ）は、着色部３を有する。
【００４４】
このチャンネル領域Ｒ（Ｒ４ＣＤ）の一対のラッピング端子１２（１２Ｃ４，１２Ｄ４）のうち、Ｃ行に相当するラッピング端子１２（１２Ｃ４）が信号線Ｃ１用に該当し、Ｄ行に相当するラッピング端子１２（１２Ｄ４）が接地線Ｃ２用に該当する。そして、着色部３は、各ラッピング端子１２（１２Ｃ４，１２Ｄ４）の近傍に配置されている。
【００４５】
そこで作業者は、Ｃ行、４段目のＣ，４の文字記号表示を視認したうえで、しかも着色部３を目処にラッピング端子１２（１２Ｃ４）を視認し、これに信号線Ｃ１を接続する。同様に、Ｄ行、４段目のＤ，４の文字記号表示を視認したうえで、しかも着色部３を目処にラッピング端子１２（１２Ｄ４）を視認し、これに接地線Ｃ２を接続する。つまり、着色部３を目処にすることで、ラッピング端子１２（１２Ｃ４，１２Ｄ４）の誤認を抑え、これに信号線Ｃ１および接地線Ｃ２を、確実に接続することができる。
【００４６】
５段目のチャンネル列２５において、Ｃ行およびＤ行で特定されるチャンネル領域Ｒ（Ｒ５ＣＤ）のラッピング端子１２（１２Ｃ５，１２Ｄ５）に、信号線Ｃ１および接地線Ｃ２を接続する場合を説明する。このチャンネル領域Ｒ（Ｒ５ＣＤ）は、着色部３を有しない。
【００４７】
このチャンネル領域Ｒ（Ｒ５ＣＤ）の一対のラッピング端子１２（１２Ｃ５，１２Ｄ５）のうち、Ｃ行に相当するラッピング端子１２（１２Ｃ５）が信号線Ｃ１用に該当し、Ｄ行に相当するラッピング端子１２（１２Ｄ５）が接地線Ｃ２用に該当する。
【００４８】
そこで作業者は、Ｃ行、５段目のＣ，５の文字記号表示を視認したうえで、しかも着色部３を目処にラッピング端子１２（１２Ｃ５）を視認し、これに信号線Ｃ１を接続する。同様に、Ｄ行、５段目のＤ，５の文字記号表示を視認したうえで、しかも着色部３を目処にラッピング端子１２（１２Ｄ５）を視認し、これに接地線Ｃ２を接続する。
【００４９】
ところで、このチャンネル領域Ｒ（Ｒ５ＣＤ）は、着色部３を有しない。したがって信号線Ｃ１および接地線Ｃ２をラッピング端子１２（１２Ｃ５，１２Ｄ５）に接続する際には、作業者は、Ｃ行５段目のＣ，５の文字記号表示、Ｄ行５段目のＤ，５の文字記号を視認して作業をする。
【００５０】
そしてこの視認に加え、そのチャンネル領域Ｒ（Ｒ５ＣＤ）に対する一方向両側のチャンネル領域Ｒ（Ｒ５ＡＢ），Ｒ（Ｒ５ＥＦ）には、着色部３が設けられている。このことから、そのチャンネル領域Ｒ（Ｒ５ＣＤ）は、着色部３を有しないチャンネル領域Ｒ（Ｒ５ＣＤ）として視認がし易い。つまり、この場合も着色部３を目処にすることが可能であり、ラッピング端子１２（１２Ｃ５，１２Ｄ５）の誤認を抑え、これに信号線Ｃ１および接地線Ｃ２を、確実に接続することができる。
【００５１】
ラッピング端子１２は、板体１０の板面に、該板面に対して直交する方向に突出している。しかも、板体１０は、２４箇所のチャンネル領域Ｒを備えており、各チャンネル領域Ｒに一対のラッピング端子１２を備えることで、４８個のラッピング端子１２が、板体１０に林立するように取付けられている。このように、板体１０の板面から突出するラッピング端子１２を多数有していても、チャンネル領域Ｒに施した着色部３を視認部（認識部）とし、これを信号線Ｃ１および接地線Ｃ２の接続のための目処とすることで、信号線Ｃ１および接地線Ｃ２を誤配線することなく、目的とするラッピング端子１２に確実に接続することができる。
【００５２】
本実施形態の端子板１では、各チャンネル列２１〜２６において、着色部３を設けたチャンネル領域Ｒと、着色を施さないチャンネル領域Ｒとが、一方向に交互に配置されていることで、一方向において信号線Ｃ１および接地線Ｃ２の誤配線を防止でき、しかも着色部３を設けたチャンネル領域Ｒと、着色を施さないチャンネル領域Ｒとが、他方向に交互に配置されていることで、他方向において信号線Ｃ１および接地線Ｃ２の誤配線を防止できる。
【００５３】
また、作業者は、奇数段目のチャンネル列２１，２３，２５では、Ａ行，Ｂ行、Ｅ行，Ｆ行で特定されるチャンネル領域Ｒに着色部３が設けられているという設定を認識して作業をすることで、信号線Ｃ１および接地線Ｃ２の誤配線を防止でき、偶数段目のチャンネル列２２，２４，２６では、Ｃ行，Ｄ行、Ｇ行，Ｈ行で特定されるチャンネル領域Ｒに着色部３が設けられているという設定を認識して作業をすることで、信号線Ｃ１および接地線Ｃ２の誤配線を防止できる。
【００５４】
本実施形態では、着色部３として「『」形状を模した図柄が選択されている。この図柄は、一方向に沿う横方向線部を上端に有し、横方向線部の一方向端に、他方向に沿う縦方向線部を有している。したがって、多数個（４８個）のラッピング端子１２が林立するよう取付けられた板体１０を、作業者が正面から見た際にでも、横方向線部および縦方向線部の何れかを視認可能である。
【００５５】
上記実施形態では、視認部としての着色部３を、一方向および他方向に隣合うチャンネル領域Ｒに交互に設けた場合を例示した。しかしながら、板体１０が有する全てのチャンネル領域Ｒに着色部３を設けることも考えられる。
【００５６】
この場合では、図１の実施形態の場合に着色部３を設けなかったチャンネル領域Ｒにも、別の形状とした着色部や、別の色彩とした着色部を設けるようにする。例えば、着色部３０として「△」形状が提案できる。図２に示す実施形態では、「△」形状の着色部３０を、所定のチャンネル領域（例えば、５段目のチャンネル列２５において、Ｃ行およびＤ行で特定されるチャンネル領域Ｒ（Ｒ５ＣＤ））Ｒにおいて、「『」形状を模した図柄の対角位置に配置することが考えられる。この場合では、同一の図柄を施したチャンネル領域Ｒ（Ｒ５ＣＤ）が、一方向において一つ置き、且つ他方向において一つ置きに設けられることになる。換言すれば、一方向に隣合うチャンネル領域Ｒ（Ｒ５ＡＢ），Ｒ（Ｒ５ＥＦ）、および、一方向に隣合うチャンネル領域Ｒ（Ｒ４ＣＤ），Ｒ（Ｒ６ＣＤ）には、異なる図柄が施されている。
【００５７】
あるいは、同じ図柄（例えば「『」形状）は同一の色彩とし、該同じ図柄と異なる同じ図柄（例えば「△」形状）は、該色彩と異なる色彩とすることができる。
【００５８】
上記各実施形態では、作業者が視認する視認部として、板体におけるチャンネル領域Ｒの一部に、着色を施しただけの平坦な着色部３を例示した。しかしながら、着色部３の代わりに、板体１０の板面から突出して、作業者に立体的に視認ないし手指の触覚による認識を促す認識部とすることができる。
【符号の説明】
【００５９】
１…端子板、１０…板体、１１…端子孔、１２（１２Ａ１，１２Ｂ１、１２Ｃ１，１２Ｄ１、１２Ｅ１，１２Ｆ１、１２Ｃ４，１２Ｄ４、１２Ｃ５，１２Ｄ５）…ラッピング端子、２１〜２６…チャンネル列、３，３０…着色部、１００…中間配線盤、１０１…端子板、１０２…板体、１０３…ラッピング端子、Ｃ…多芯ケーブル、Ｃ１…信号線、Ｃ２…接地線、Ｒ（Ｒ１ＡＢ，Ｒ１ＣＤ，Ｒ１ＥＦ，Ｒ４ＣＤ，Ｒ５ＣＤ）…チャンネル領域
【図１】
2018195444.tif 000003
【図２】
2018195444.tif 000004
【図３】
2018195444.tif 000005
【図４】
2018195444.tif 000006